(57)【要約】      （修正有）【課題】粘着体のような空気や水分による劣化が無く、長期にわたり付着性能が保持でき、剥離促進手段も必要でなく、粘着材の残渣の問題も無く、液体の中でも使用可能で、感知体を保護カバーする構成も可能で、テープとして巻き取りや重ねあわせに有利な感知体を提供する。【解決手段】粘着体の代わりに、感知体のテープの巻き取りやラベル又はシートの重ねあわせの付着のために、テープ又はラベル又はシートの層に、磁極の向きが相引き合う向きにマグネットシート層１０２を付設したものである。【選択図】図１
2005274800.tif 000002
【特許請求の範囲】
【請求項１】
テープ状又はラベル状又はシート状の感知体と、前記感知体を被付着物に付着するための付着体としてマグネットシートとを含むことを特徴とするマグネットシート付き感知体。
【請求項２】
前記の感知体を重ね合わせた各層の中の前記マグネットシート層の磁極の並びが、互いに引き合う向きに前記の重ね合わせがなされたことを特徴とする請求項１記載のマグネットシート付き感知体。
【請求項３】
前記の感知体又は前記のマグネットシートの表面に、紫外線、水分、酸素の少なくとも一つから前記感知体を保護する保護膜を有することを特徴とする請求項１又は請求項２に記載のマグネットシート付き感知体。
【請求項４】
前記マグネットシートは、透明であって、水分及び酸素の少なくとも一つの前記感知体への侵入を防ぐ材質で構成すること及び／又は、紫外線による前記感知体の劣化を防ぐ材質で構成することを特徴とする請求項１から請求項３のいずれか一つに記載のマグネットシート付き感知体。
【請求項５】
前記感知体は、感温変色体であることを特徴とする請求項１から請求項４のいずれか一つに記載のマグネットシート付き感知体。
【請求項６】
前記感温変色体の高温遷移時の変化が脱色又は白化する前記感温変色体の上又は下に付設され、温度変化を表示する文字及び形状の少なくとも一つの形態の表示部の色は、前記感温変色体の変色温度以下を示す前記表示では、前記感温変色体の前記変色温度未満の色とは異なる色とし、前記感温変色体の温度が前記変色温度以上であることを示す前記表示では、前記感温変色体の前記変色温度以下の色とはほぼ同じ色としたことを特徴とする請求項５に記載のマグネットシート付き感知体。
【請求項７】
前記の感温変色体は、前記変色温度の異なる二種のものを用いたことを特徴とする請求項５又は請求項６に記載のマグネットシート付き感知体。
【請求項８】
前記の感温変色体は、相異なる色を有する二種のものを用いたことを特徴とする請求項５から請求項７のいずれか一つに記載のマグネットシート付き感知体。
【請求項９】
前記の感知体は、光量を検知する光感知体、紫外光を受けて可視光を発する紫外線感知体、ＰＨ試験又は化学イオン検出を行う化学検知体の少なくとも一つであることを特徴とする請求項１から請求項４のいずれか一つに記載のマグネットシート付き感知体。
【発明の詳細な説明】
【技術分野】
【０００１】
本発明は、付着材としてマグネットシートを用いた感温変色テープ等のテープ又はラベル又はシート状の感知体に関するものである。
【背景技術】
【０００２】
従来、感温変色テープ等の感知体については、その付着材としては主にゴム系やアクリル系の粘着材が主体であった。粘着材は、貼り付ける相手を選ばない便利さはあったが、水分や、酸素の浸入により、長い間に粘着性能が劣化することが第１の不都合として存在した。更に、粘着体は、テープとして巻き取った場合や、ラベルとして保管時に重ねた状態では、図６で以下に示す不都合があった。６−Ａは、巻いた状態のテープを示すが、ａ−ａでの断面で、テープの二層のみの重なりを示すのが、６−Ｂである。例えば、感知体が感温変色素子の場合には、６０１は、感温変色体であり、６０２は、粘着体をつける基体であり、粘着体６０４がこれに付設してある。６０３は、基体６０２を感温変色体６０１に接着している接着体である。勿論、感温変色体６０１に直接、粘着材６０４が付設したものもある。この図では、Ｌ６１とＬ６２のテープ層１、テープ層２が巻き取りにより、重なっている。ここで、粘着体６０４は、付着する対象物には良く付着しなければならない。しかし、粘着体６０４は、感温変色体６０１とは、容易に剥離しなければならない。使用時に剥がす必要があるからである。このために、これを可能にするために、感温変色体６０１の表面に、剥離を容易にするために、フッ素樹脂等の薄層の被覆をしたり、細かい凹凸を設けるなどの剥離促進手段が必要であり、これが第２の不都合であった。更に、粘着体６０４は、剥がした後に、粘着材が残渣となって、感温変色体６０１の面を汚す第３の不都合もあった。粘着体を使用した特許文献の例を特許文献１と特許文献２に示す。
【特許文献１】特開２００１−２４７８２８
【特許文献２】特開２００１−２３４１３４
【発明の開示】
【発明が解決しようとする課題】
【０００３】
本発明が解決しようとする課題は、上記の粘着体を用いた３つの不都合を回避して、特にテープとして巻き取った場合や、ラベル、シートとして重ねた場合に有利な感知体を提供することにある。
【課題を解決するための手段】
【０００４】
本発明は、粘着体の代わりに、感知体のテープの巻き取りやラベル、シートの重ねあわせの付着のために、テープ又はラベル又はシートの各層が有する磁極の向きが引き合うようにマグネットシートを使用したものであり、効果で述べるような特段の利点がある。
【０００５】
請求項１記載の発明は、マグネットシート付き感知体であって、テープ状又はラベル状又はシート状の感知体と、前記感知体を被付着物に付着するための付着体としてマグネットシートとを含むことを特徴とする。
【０００６】
請求項２記載の発明は、請求項１記載のマグネットシート付き感知体において、前記の感知体を重ね合わせた各層の中の前記マグネットシート層の磁極の並びが、互いに引き合う向きに前記の重ね合わせがなされたことを特徴とする。
【０００７】
請求項３記載の発明は、請求項１又は請求項２に記載のマグネットシート付き感知体において、前記の感知体又は前記のマグネットシートの表面に、紫外線、水分、酸素の少なくとも一つから前記感知体を保護する保護膜を有することを特徴とする。
【０００８】
請求項４記載の発明は、請求項１から請求項３のいずれか一つに記載のマグネットシート付き感知体において、前記マグネットシートは、透明であって、水分及び酸素の少なくとも一つの前記感知体への侵入を防ぐ材質で構成すること及び／又は、紫外線による前記感知体の劣化を防ぐ材質で構成することを特徴とする。
【０００９】
請求項５記載の発明は、請求項１から請求項４のいずれか一つに記載のマグネットシート付き感知体において、前記感知体は、感温変色体であることを特徴とする。
【００１０】
請求項６記載の発明は、請求項５に記載のマグネットシート付き感知体において、前記感温変色体の高温遷移時の変化が脱色又は白化する前記感温変色体の上又は下に付設され、温度変化を表示する文字及び形状の少なくとも一つの形態の表示部の色は、前記感温変色体の変色温度以下を示す前記表示では、前記感温変色体の前記変色温度未満の色とは異なる色とし、前記感温変色体の温度が前記変色温度以上であることを示す前記表示では、前記感温変色体の前記変色温度以下の色とはほぼ同じ色としたことを特徴とする。
【００１１】
請求項７記載の発明は、請求項５又は請求項６に記載のマグネットシート付き感知体において、前記の感温変色体は、前記変色温度の異なる二種のものを用いたことを特徴とする。
【００１２】
請求項８記載の発明は、請求項５から請求項７のいずれか一つに記載のマグネットシート付き感知体において、前記の感温変色体は、相異なる色を有する二種のものを用いたことを特徴とする。
【００１３】
請求項９記載の発明は、請求項１から請求項４のいずれか一つに記載のマグネットシート付き感知体において、前記の感知体は、光量を検知する光感知体、紫外光を受けて可視光を発する紫外線感知体、ＰＨ試験又は化学イオン検出を行う化学検知体の少なくとも一つであることを特徴とする。
【発明の効果】
【００１４】
以上の様に構成されているので、マグネットシートを使用していることにより、テープやラベル又はシートから剥がした際には、粘着体のような残渣が残らない。更に、マグネットは、粘着体のような空気や水分による劣化が無い。特に、マグネットシートとテープやラベル又はシートのような重ね合わせのある状況とが共働して、特有の効果を発揮している。即ち、巻き取った或いは、重ねたシートのマグネット同士がＮＳの極性が引き合う方向に並んでいるので、この引力でテープまたはラベルの層間が付着することである。このため、粘着層は不要であり、剥離すれば、残渣も無いのも当然となる。又、マグネットのために実施例で説明するような、表層にマグネット面にして、感知体層を貼り付け側にするような応用も可能となった。これは、マグネット層側を紫外線防止層のような保護層と兼用する応用が招来する。又、水のような液体中での付着も可能となる。
【発明を実施するための最良の形態】
【００１５】
発明を実施するための最良の形態として、紫外線防止剤を分散した透明なマグネットシート層を保護層と兼用するのが、紫外線以外に水分や酸素の遮蔽も可能であり、構成する重層も少なくてよい。以下、実施例で詳細を説明する。
【実施例１】
【００１６】
図１は、本発明による、マグネットシート付き感知体であって、１−Ａが巻き取った状態を示し、ａ−ａでの断面で、テープの二層のみの重なりを示すのが、１−Ｂである。１０１は、感知体であり、例えば、感知体が感温変色素子の場合には、感温変色体であり、１０２は、マグネットシート層であり、両者は、接着層１０３により接着されている。
マグネットシート層１０２又は感知体１０１のいずれかが溶融した状態で相手に付着した場合は接着層１０３が不要となる場合もある。Ｌ１１とＬ１２の各々がマグネットシート付き感知体のテープの層１、層２となっている。１−Ｃは、更に拡大してマグネットシート内の磁極構成を示したものである。好都合なことに、巻き取られたテープや重ね合わされたラベルにおいては、ＮＳの並びは、同じ方向を向くので、１０４の矢印に示すごとく異なる層間のＮＳは引き合う向きに並ぶことになる（図では、ＮＳの向きが上下逆でも良い）。このため、特段の手段を用いなくとも、巻き取られたテープや重ね合わされたラベルは、お互いに付着しあうことになる。しかも、マグネットは剥がすことも容易で、残渣も無く、水分や酸素による劣化も無い。必要なのは、マグネットを剥がすための抗力に耐えうるテープの強度と、使用に備えた磁性を確保する耐熱温度を持つことである。マグネットは、貼り付け、剥離が何度でも可能なことも有利である。尚、本発明に使用される感温変色体に含まれる感温変色剤としては特に制限されず、公知のものを使用することができる。具体的には、コバルト、ニッケル、マンガン等の遷移金属塩とヘキサメチレンテトラミン等のアミン性アマイド類との複塩類、ヨウ化水銀、クロム酸鉛、メタバナジン酸アンモニウム等の重金属化合物、ジキサンチレン、及び電子供与性呈色色素類と電子受容性顕色剤と減感剤を含む公知の熱可逆変色性組成物等が挙げられる。
【実施例２】
【００１７】
図２は、本発明の別の実施態様を示す図である。１０１と１０２は、図１と同じである。１０５は、紫外線や水分や酸素から感知体１０１を保護する保護層である。この図では、感知体１０１に直接、マグネットシート層１０２が付いた場合を示している。保護層を構成する材質の例として、水分や酸素の遮蔽用にポリエステルフィルムや塩化ビニルフィルム等が使用でき、更に、これらのフィルムに紫外線吸収剤を含ませると、紫外線防止保護層ができる。紫外線防止保護のために、ベンゾトリアゾール系、２−ヒドロオキシベンゾフェノン系、２−ヒドロオキシフェニルベンゾトリアゾール系、サリシレート系、シアノアクリレート系、及びパラメトキシケイ皮酸（オクチル）系の紫外線吸収体が知られていて使用することができる。
【実施例３】
【００１８】
図３は、本発明の別の実施態様を示す図である。３―Ａは、通常の構成で、感知体１０１にマグネットシート層１０２が付いていて、マグネットシート層１０２の側が貼り付け面側になっている。３−Ｂがマグネットの特性を引き出した構成となっている。即ち、マグネットシート１０２が、例えば、色を感知する場合は、透明となっていて、感知体の変色状況が透き通って見えるようになっている。この場合、貼り付け面側は、感知体１０１の側にあって、貼り付けた場合に、感知体１０１をマグネットシート１０２が覆って保護層として働くことになる。これゆえに、マグネットシート１０２に紫外線吸収剤を分散したり、水分や酸素を遮蔽する材料で形成すれば、他に保護層を設ける必要はない。
【００１９】
以上の例では、感知体１０１とマグネットシート１０２の間に他の層は記述しなかったが、例のこだわらず、感知体１０１とマグネットシート１０２の間に、背景色を与える層など他の層があっても良いことは当然である。
【００２０】
図４は、本発明とは別に出願された感温変色感知体での文字やパターンの表示手段に関するものであるが、本発明のマグネットシート付き感知体に応用して便利なものである。４−Ａは、通常温度と異常温度を知らせるテープであり、例えば、或る温度（変色温度）以上で変色するテープ状の感温変色体層（この例では、低温で赤色、高温で薄い白色）が全面に形成され、その上又は下に、例えば、赤色とは異なる色、例えば白色で「通常温度」の文字とか縦線等のパターンが、赤色で「異常高温」の文字とか縦線等のパターンが描いてある。温度が変色温度以下の通常時は、赤色を通して白の字やパターンが見えるので「通常温度」の文字とか付随する縦線等が視認できる。変色温度を越えると、感温変色体層は、白色に変わるので、「通常温度」の文字やこれに付随する縦線等は、白地に白色で視認できず、赤色で描いてある「異常高温」の文字と縦線等が、白地に赤色で視認できる。
４−Ａはテープの長手方向に高温表示部と低温表示部を形成したが、４−Ｂは、テープの幅方向に、高温表示部と低温表示部を分けて形成したものである。４−Ｃは、相異なる複数の変色温度を有する感温変色体を付設したもので、この例では、低温で赤色、高温で薄い白色を呈する二種の変色温度の感温変色体４１（低温）と感温変色体４２（高温）を使っている。これらの感温変色体の上又は下には、４−Ａと同様に、感温変色体４１の領域では、「低温」の文字と横線等のパターンが白色、「適温」の文字と横線等のパターンが赤色、感温変色体４２の領域では、「高温」の文字と横線等のパターンが赤色で描かれている。低温では、感温変色体の両方が、赤色なので、白色で描かれた「低温」の文字とこれに付随した横線等のパターンのみが視認できる。感温変色体４１の変色温度を越えて、感温変色体４２の変色温度以下では、感温変色体４１のみ白色になり、「低温」の文字と横線等のパターンは、白地に白色で視認できなくなる。一方、「適温」の文字と横線等のパターンが白地に赤色で視認できる。感温変色体４２の変色温度以上では、感温変色体４１、感温変色体４２とも白色に変色して、「高温」の文字と横線等のパターンも視認できるようになる。４−Ｃでは、テープの長手方向に感温変色体４１と感温変色体４２を並べて、「低温」、「適温」、「高温」の各文字の各表示部を形成したが、４−Ｄは、並びをテープの幅方向に形成したものである。４−Ｃと４−Ｄでは、感温変色体４１と感温変色体４２の色を同色の赤色にしたが、４−Ｅは、感温変色体４１の色を緑色に、感温変色体４２の色を赤色にして、これに対応して、「適」の文字と付随する横線を緑色に、「高」の文字と付随する横線を赤色にしたものである。以上の表示は、感温変色感知体での文字やパターンの表示手段として極めて便利なので、本発明のマグネットシートを用いた感温変色テープ等にも応用が可能である。
【実施例４】
【００２１】
図５は、本発明を温度感知以外の他の感知体に適用した実施態様を示す図である。１０２は、マグネットシート層であり、１０３は接着層であり、５−Ａの５０１ａは、ハロゲン化銀フィルムである。暗いところへの漏れの光量を感知するものである。５−Ｂの５０１ｂは、スピロピラン系、スピロオキサジン系のフォトクロミック化合物を含む塩化ビニル、ポリエチレンなどの樹脂層である。紫外線を受けて可視光を発光するので、紫外線センサーとして使用される。５−Ｃの５０１ｃは、ＰＨ試験紙や、その他の化学イオンを検知する化学試験紙である。例えば、塩素系の物質を試験紙に含有させれば、鉛イオンや、銀イオンなどが検知でき、フェリシアン化カリウムを含有させれば、２価の鉄イオンが検知できる。ＰＨ試験紙は、良く知られていて、水素イオン濃度を検知するものである。
【産業上の利用可能性】
【００２２】
以上のようなマグネットシート付き感知体は、他に湿度感知体、ガス感知体等に利用が可能である。特に、環境に関する簡易な感知体に利用して好都合である。特に、液体の中でも利用できる点も大きい利点である。勿論、テープ状又はシート状又はラベル状で巻き取り、重ね合わせが可能であるので、いずれの感知体自体もテープ状又はシート状又はラベル状であることはいうまでも無い。
【図面の簡単な説明】
【００２３】
【図１】本発明に係るマグネットシート付き感知体の一実施態様を示す図である。          １−Ａ部のａ−ａでの断面部が１−Ｂ部分であり、１−Ｃが拡大図である。
【図２】本発明に係るマグネットシート付き感知体の別の実施態様を示す図である。
【図３】本発明に係るマグネットシート付き感知体の別の実施態様を示す図であり、３−Ａ部は、マグネットシート側に貼り付け面がある場合、３−Ｂ部は、感知体側に貼り付け面がある場合である。
【図４】本発明のマグネットシート付き感温変色感知体に利用して便利な文字やパターンの表示手段を示す図である。
【図５】本発明に係るマグネットシート付き感知体の別の実施態様を示す図である。
【図６】従来の粘着体付きの感知体の例を示す図である。
【符号の説明】
【００２４】
１０１  感知体
１０２  マグネットシート層
１０３  接着層
１０４  （磁極の引き合いを示す）矢印
Ｌ１１  テープの層１
Ｌ１２  テープの層２
１０５  保護層
４１、４２    感温変色体
５０１ａ  ハロゲン化銀フィルム
５０１ｂ  フォトクロミック化合物を含む樹脂層
５０１ｃ  化学試験紙
６０１  感温変色体
６０２  粘着体をつける基体
６０３  接着体
６０４  粘着体
Ｌ６１  テープ層１
Ｌ６２  テープ層２
【図１】
2005274800.tif 000003
【図２】
2005274800.tif 000004
【図３】
2005274800.tif 000005
【図４】
2005274800.tif 000006
【図５】
2005274800.tif 000007
【図６】
2005274800.tif 000008